(57)【要約】【課題】無線チャネルを割当てて接続する際の接続時間の増大による通信効率の低下を防ぐ。【解決手段】端末装置１００は、操作表示部１０１を介した通信開始指示で、処理部１０２にて基地局装置２００への無線チャネルの割当を要求し、その応答を受信する。端末装置１００の機能確認部１０３と基地局装置２００の機能確認部２０８は、それぞれの記憶部（１０４、２０９）を検索して、該当する識別ＩＤの有無を確認する。この確認で、該当する識別ＩＤが無い場合、端末装置１００の処理部１０２と基地局装置２００の処理部２０４は、新規のチャネル割当と判断し機能確認部１０３で機能確認を行った後、通信状態へ至る。一方、該当する識別ＩＤが見つかった場合は、追加の無線チャネル割当と判断し、新規チャネル割当時に行った機能確認の結果を記憶部１０４より読み出して接続処理を継続する。【選択図】        図１
2005020153.tif 000002
【特許請求の範囲】
【請求項１】
基地局装置との間で所定の信号を送受信する無線部と、
前記無線部を介して、基地局装置に対して無線チャネルの割当を要求し、前記基地局装置によって割当てられた無線チャネルでの信号の送受信を制御する制御部と、
無線チャネルの割当てを行った前記基地局装置と互いに備える機能の確認を行うと共に、その結果を機能確認情報として保持する機能確認部とを備え、
前記機能確認部は、前記無線チャネルの割当を行った基地局装置によって、追加の無線チャネルがさらに割当てられた場合、互いに備える機能の確認の代わりに、当該基地局装置について既に得られている前記機能確認情報を利用することを特徴とする端末装置。
【請求項２】
前記機能確認部は、基地局装置との無線チャネルの割当で保持した機能確認情報を、無線チャネルの割当が無くなった以降も保持し、当該基地局装置より改めて新規の無線チャネルが割当てられた場合、互いに備える機能の確認の代わりに、当該基地局装置について既に得られている前記機能確認情報を利用することを特徴とする請求項１記載の端末装置。
【請求項３】
前記機能確認部は、新たに接続する基地局装置の適応変調対応情報を機能確認情報として保持することを特徴とする請求項１又は２記載の端末装置。
【請求項４】
端末装置との間で所定の信号を送受信する無線部と、
前記無線部を介して、端末装置に対して無線チャネルを割当てた信号の送受信を制御する制御部と、
無線チャネルの割当を行った前記端末装置と互いに備える機能の確認を行うと共に、その結果を機能確認情報として保持する機能確認部とを備え、
前記機能確認部は、前記無線チャネルの割当を行った端末装置に、追加の無線チャネルをさらに割当てた場合、互いに備える機能の確認の代わりに、当該端末装置について既に得られている前記機能確認情報を利用することを特徴とする基地局装置。
【請求項５】
他の基地局装置と信号を送受信するインタフェース部をさらに備え、
前記機能確認部は、保持した前記端末装置の機能確認情報をインタフェース部を介して他の基地局装置へ送信することを特徴とする請求項４記載の基地局装置。
【請求項６】
他の基地局装置と信号を送受信するインタフェース部をさらに備え、
前記機能確認部は、インタフェース部を介して他の基地局装置より前記端末装置の機能確認情報を受信し、保持することを特徴とする請求項４又は５記載の基地局装置。
【請求項７】
端末装置は、新規に無線チャネルが割当てられた基地局装置については、当該割当の際に互いに備える機能の確認を実行し、既に無線チャネルが割当てられ、追加の無線チャネルがさらに割当てられた際には、互いに備える機能の確認の代わりに、当該基地局装置について既に得られている前記機能確認情報を利用することを特徴とする端末装置の無線接続方法。
【請求項８】
基地局装置は、端末装置への無線チャネルの割当てに際し、他の基地局装置から当該端末装置の機能確認情報を受信していないものについては、当該端末装置と互いに備える機能の確認を実行し、他の基地局装置から当該端末装置の機能確認情報を受信しているものについては、互いに備える機能の確認の代わりに、当該端末装置について既に得られている前記機能確認情報を利用することを特徴とする基地局装置の無線接続方法。
【請求項９】
基地局装置からの無線チャネル割当に際し、新規に無線チャネルが割当てられた基地局装置か否かを判断するステップと、
新規に無線チャネルが割当てられた基地局装置の場合には、当該割当の際に互いに備える機能の確認を実行するステップと、
既に無線チャネルが割当てられ、追加の無線チャネルがさらに割当てられた基地局装置の場合には、互いに備える機能の確認の代わりに、当該基地局装置について既に得られている前記機能確認情報を利用するステップと
をコンピュータに実行させるためのプログラム。
【請求項１０】
端末装置からの無線チャネル割当要求に際し、他の基地局装置から当該端末装置の機能確認情報を受信しているか否かを判断するステップと、
他の基地局装置から当該端末装置の機能確認情報を受信していない場合には、当該端末装置と互いに備える機能の確認を実行するステップと、
他の基地局装置から当該端末装置の機能確認情報を受信している場合には、互いに備える機能の確認の代わりに、当該端末装置について既に得られている前記機能確認情報を利用するステップと
をコンピュータに実行させるためのプログラム。
【発明の詳細な説明】
【０００１】
【発明の属する技術分野】
本発明は、無線回線の接続技術に関する。特に端末装置と基地局装置の間で、無線チャネルを割当てて無線接続する際の端末装置、基地局装置、無線接続方法、およびそのプログラムに関する。
【０００２】
【従来の技術】
無線通信システムでは、無線回線の常時接続や伝送容量の拡大を図る技術として、パケット通信方式が採用されている。
【０００３】
パケット通信方式は、一連のデータを所定サイズのパケットに分割し、パケット単位で通信相手とデータの送受信を行う通信方式で、回線の占有を防ぎ、多数端末の常時接続を可能にする。
【０００４】
また、パケット通信方式では、パケット化されたデータに、送信先や順序番号などの制御情報が付加されており、途中の通信経路を限定しない。すなわち、端末装置と通信相手との間の通信経路は、任意の道筋でよく、また複数の道筋が同時に存在してもよい。例えば、簡易型携帯電話システムの端末装置と基地局装置間のパケット通信による無線接続においては、端末装置は、１つあるいは複数の基地局装置より、同時に複数の無線チャネルを接続し、伝送容量の拡大を図っている。
【０００５】
なお、「チャネル」とは、基地局装置と端末装置などの無線装置間で設定される論理的な無線回線において、通信を行う物理的な無線通信路のことをいい、具体的は、ＦＤＭＡ（Ｆｒｅｑｕｅｎｃｙ  Ｄｉｖｉｓｉｏｎ  ＭｕｌｔｉｐｌｅＡｃｃｅｓｓ）の場合は特定の周波数帯域を指し、ＴＤＭＡ（Ｔｉｍｅ  Ｄｉｖｉｓｉｏｎ  Ｍｕｌｔｉｐｌｅ  Ａｃｃｅｓｓ）の場合は、特定のタイムスロットまたはスロットを指し、ＣＤＭＡ（Ｃｏｄｅ  Ｄｉｖｉｓｉｏｎ  Ｍｕｌｔｉｐｌｅ  Ａｃｃｅｓｓ）の場合は特定の符号系列を指すが、ここではこれらを区別しないものとする。また、「複数の無線チャネルを接続」は、１つの論理的な無線回線の中で、現在通信を行っている無線チャネルに加えて、新たな無線チャネルを追加割当して接続することを指す。
【０００６】
さて、近年では、伝送路環境に応じて変調方式を切替え、例えば、伝送路環境が悪いと判断される場合には、高信頼度の変調方式を使用してデータを伝送し、一方、伝送路環境が良いと判断される場合には、多情報量の変調方式を使用してデータを伝送する、いわゆる適応変調機能を備えた端末装置や基地局装置がある（例えば、特許文献１参照）。
【０００７】
このような適応変調機能を備えた端末装置、あるいは基地局装置を、従来型の適応変調機能を有しない端末装置や基地局装置らと共通の通信システムで使用する場合には、その機能の詳細を互いに知らしめるため、無線チャネルを割当てて接続する際に、機能確認のための情報交換を行う。
【０００８】
【特許文献１】
特開２００２−２９０２４６号公報
【０００９】
【発明が解決しようとする課題】
発明者は、こうした状況下、以下の課題を認識するに至った。従来の技術において、無線チャネルの追加接続を行う場合、端末装置は、基地局装置へ無線チャネルの追加割当を要求する。これに対し、基地局装置では、チャネルの空き状況を調べ、割当が可能であればチャネル割当を通知し、不可能であれば割当拒否を通知する。仮に、チャネルの空きがなく、割当拒否がなされれば、端末装置は他の基地局装置に対し、再度、チャネル割当を要求する。
【００１０】
すなわち、無線チャネルが追加接続される基地局装置の選択は、端末装置が割当を試みる基地局装置のチャネルの空き状態に依存し、また、基地局装置では、要求されたチャネル割当が、端末装置においての新規割当かあるいは伝送路拡大のための追加割当かは不明である。このため、無線チャネルを割当する際の接続手順は、常に新規接続時と区別無く、同じ接続手順を実行する。
【００１１】
一方、適応変調機能を備えた端末装置、あるいは基地局装置を、従来型の適応変調機能を有しない端末装置や基地局装置らと共通の通信システムで使用する場合には、接続の際に互いの機能の確認交換を行う必要がある。この機能確認は、チャネル割当の処理に付随して行われ、幾つかのメッセージの送受信を必要とする。そして、新規割当かあるいは伝送路拡大のための追加割当かに関わらず全ての接続手順において実行され、接続処理時間の増大と通信効率の低下を招いている。
【００１２】
また、端末装置が移動しながら通信を行う場合にあっては、端末装置は幾つかの基地局装置間をハンドオーバしながら通信を継続するが、この際にもハンドオーバの度に機能確認が実行され、更には無線チャネルを複数接続している場合には、その数に応じて機能確認の実行数が増大し、極めて大きな通信効率の低下を招く。
【００１３】
発明者は、こうした状況を認識して、本発明をなしたものであり、その目的は端末装置と基地局装置の間で、無線チャネルを接続する際の接続時間を短縮し、通信効率の低下を抑制する端末装置、基地局装置、無線接続方法、およびそのプログラムを提供することにある。
【００１４】
【課題を解決するための手段】
本発明のある態様は、端末装置である。
【００１５】
この装置は、基地局装置との間で所定の信号を送受信する無線部と、無線部を介して、基地局装置に対して無線チャネルの割当を要求し、基地局装置によって割当てられた無線チャネルでの信号の送受信を制御する制御部と、無線チャネルの割当てを行った基地局装置と互いに備える機能の確認を行うと共に、その結果を機能確認情報として保持する機能確認部とを備え、機能確認部は、無線チャネルの割当を行った基地局装置によって追加の無線チャネルがさらに割当てられた場合、互いに備える機能の確認の代わりに、当該基地局装置について既に得られている機能確認情報を利用する。
【００１６】
以上の構成により、無線チャネルの割当を行った基地局装置によって、追加の無線チャネルがさらに割当てられた場合、互いに備える機能の確認の代わりに、当該基地局装置について既に得られている機能確認情報を利用するので、接続時の処理時間を短縮することが可能である。
【００１７】
機能確認部は、基地局装置との無線チャネルの割当で保持した機能確認情報を、無線チャネルの割当が無くなった以降も保持し、当該基地局装置より改めて新規の無線チャネルが割当てられた場合、互いに備える機能の確認の代わりに、当該基地局装置について既に得られている前記機能確認情報を利用してもよい。
【００１８】
機能確認部は、新たに接続する基地局装置の適応変調対応情報を機能確認情報として保持してもよい。
【００１９】
本発明の別の態様は、基地局装置である。
【００２０】
この装置は、端末装置との間で所定の信号を送受信する無線部と、無線部を介して、端末装置に対して無線チャネルを割当てた信号の送受信を制御する制御部と、無線チャネルの割当を行った端末装置と互いに備える機能の確認を行うと共に、その結果を機能確認情報として保持する機能確認部とを備え、機能確認部は、無線チャネルの割当を行った端末装置に、追加の無線チャネルをさらに割当てた場合、互いに備える機能の確認の代わりに、当該端末装置について既に得られている前記機能確認情報を利用する。
【００２１】
以上の構成により、無線チャネルの割当を行った端末装置に、追加の無線チャネルをさらに割当てた場合、互いに備える機能の確認の代わりに、当該端末装置について既に得られている前記機能確認情報を利用するので、接続時の処理時間を短縮することが可能である。
【００２２】
他の基地局装置と信号を送受信するインタフェース部をさらに備え、機能確認部は、保持した端末装置の機能確認情報をインタフェース部を介して他の基地局装置へ送信してもよい。他の基地局装置と信号を送受信するインタフェース部をさらに備え、機能確認部は、インタフェース部を介して他の基地局装置より端末装置の機能確認情報を受信し、保持してもよい。
【００２３】
本発明のさらに別の態様は、無線接続方法である。
【００２４】
この方法は、端末装置において、新規に無線チャネルが割当てられた基地局装置については、当該割当の際に互いに備える機能の確認を実行し、既に無線チャネルが割当てられ、追加の無線チャネルがさらに割当てられた際には、互いに備える機能の確認の代わりに、当該基地局装置について既に得られている前記機能確認情報を利用する。
【００２５】
以上の方法により、既に無線チャネルが割当てられ、追加の無線チャネルがさらに割当てられた際には、互いに備える機能の確認の代わりに、当該基地局装置について既に得られている前記機能確認情報を利用するので、接続時の処理時間を短縮することが可能である。
【００２６】
本発明のさらに別の態様も、無線接続方法である。
【００２７】
この方法は、基地局装置において、端末装置への無線チャネルの割当てに際し、他の基地局装置から当該端末装置の機能確認情報を受信していないものについては、当該端末装置と互いに備える機能の確認を実行し、他の基地局装置から当該端末装置の機能確認情報を受信しているものについては、互いに備える機能の確認の代わりに、当該端末装置について既に得られている前記機能確認情報を利用する。
【００２８】
以上の方法により、他の基地局装置から当該端末装置の機能確認情報を受信しているものについては、互いに備える機能の確認の代わりに、当該端末装置について既に得られている前記機能確認情報を利用するので、新規のチャネル割当に際しても、接続時の処理時間を短縮することが可能である。
【００２９】
本発明のさらに別の態様は、プログラムである。
【００３０】
このプログラムは、基地局装置からの無線チャネル割当に際し、新規に無線チャネルが割当てられた基地局装置か否かを判断するステップと、新規に無線チャネルが割当てられた基地局装置の場合には、当該割当の際に互いに備える機能の確認を実行するステップと、既に無線チャネルが割当てられ、追加の無線チャネルがさらに割当てられた基地局装置の場合には、互いに備える機能の確認の代わりに、当該基地局装置について既に得られている前記機能確認情報を利用するステップとを含む。
【００３１】
本発明のさらに別の態様も、プログラムである。
【００３２】
このプログラムは、端末装置からの無線チャネル割当要求に際し、他の基地局装置から当該端末装置の機能確認情報を受信しているか否かを判断するステップと、他の基地局装置から当該端末装置の機能確認情報を受信していない場合には、当該端末装置と互いに備える機能の確認を実行するステップと、他の基地局装置から当該端末装置の機能確認情報を受信している場合には、互いに備える機能の確認の代わりに、当該端末装置について既に得られている前記機能確認情報を利用するステップとを含む。
【００３３】
なお、以上の構成要素の任意の組合せ、本発明の表現を方法、装置、システム、記録媒体、コンピュータプログラムなどの間で変換したものもまた、本発明の態様として有効である。
【００３４】
【発明の実施の形態】
本実施の形態は、伝送容量の拡大を行うために、端末装置と基地局装置の間で、無線チャネルを接続する際の接続時間を短縮し、通信効率の低下を抑制する端末装置、基地局装置、無線接続方法、およびそのプログラムに関する。
【００３５】
本実施の形態に係る端末装置および基地局装置は、無線チャネルの割当による接続手順の中での機能情報の確認結果をもとに、適応変調への対応可否を認識して変調方式切替手順を実行するが、機能情報の確認は、端末装置あるいは基地局装置の内部に、該当する機能確認情報がない場合のみとし、例えば、無線チャネルの追加割当時においては、新規割当時に既に得ている機能確認情報を使用して無線チャネルの接続手順を実行する。
【００３６】
さらに、基地局装置においては、近隣の基地局装置と接続し、互いの記憶する端末装置に関わる機能確認情報の交換を行い、新たな端末装置からの無線チャネル接続要求があった場合には、交換した機能確認情報を使用して無線チャネルの割当を行う。
【００３７】
以下、簡易型携帯電話システムを例に、詳細を説明する。
【００３８】
図１は、本実施の形態に係る通信システム１０を示す。通信システム１０は、端末装置１００、基地局装置２００、基地局装置３００、ネットワーク４００を含む。
【００３９】
また、端末装置１００は、操作表示部１０１と、処理部１０２と、機能確認部１０３と、記憶部１０４と、変復調部１０５と、品質測定部１０６と、変調方式決定部１０７と、無線部１０８と、端末用アンテナ１０９と、制御部１１０とを含み、基地局装置２００は、基地局用アンテナ２０１と、無線部２０２と、変復調部２０３と、処理部２０４と、品質導出部２０５と、変調方式制御部２０６と、チャネル割当制御部２０７と、機能確認部２０８と、記憶部２０９と、インタフェース部２１０と、情報交換部２１１と、制御部２１２を含む。
【００４０】
さて、図１に示す端末装置１００では、伝送容量を拡大する一例として、基地局装置２００との間で２つの無線チャネルを、また、基地局装置３００との間で１つの無線チャネルをそれぞれ同時に接続し、ネットワーク４００を介した図示しない通信相手と双方向のデータ通信を行っている。
【００４１】
図２に、無線区間のフレームフォーマットを示す。このフレームフォーマットは、簡易型携帯電話システムのもので、４チャネル多重マルチキャリアＴＤＭＡ／ＴＤＤ（Ｔｉｍｅ  Ｄｉｖｉｓｉｏｎ  Ｄｕｐｌｅｘ）方式を示しており、１つのフレームを時分割で８つのスロットに分割して使用する。
【００４２】
具体的には、８つのスロットのうち、４つのスロットを基地局装置から端末装置への下り方向に、また、残る４つのスロットを端末装置から基地局装置への上り方向に使用する。図１との対比においては、端末装置１００は、スロット１と２で基地局装置２００と、また、スロット４で基地局装置３００と、それぞれ同時に通信を行っている。
【００４３】
さて、操作表示部１０１は、外部から端末装置を操作するためのインタフェースで、使用者から発呼や切断の指示を受け、後述する処理部１０２に伝えるとともに、処理の状況や結果を処理部１０２より入手しメッセージとして表示する。なお、操作表示部１０１は、キーボードや液晶ディスプレイなど操作者が直接扱う物の他、パソコンや他の情報機器を操作表示器として用いるための接続インタフェースであってもよい。
【００４４】
処理部１０２は、操作表示部１０１からの接続や切断の指示に応じて、無線回線の接続および切断の処理を行うとともに、送受信されるデータの符号、復号化を実行する。また、送信すべきデータの増減に応じて、無線チャネルの追加割当に関わる接続処理を実行する。
【００４５】
機能確認部１０３は、処理部１０２より無線チャネルの接続に関わる機能確認の指示を受けると、処理部１０２より接続先となる基地局装置の識別ＩＤを入手し、後述する記憶部１０４のデータと照合する。
【００４６】
図３に、端末側装置の記憶部１０４のデータ構造を示す。記憶部１０４は、基地局装置の「機能確認情報」を格納する半導体メモリやハードディスクなどの記憶素子あるいは装置で実現される。
【００４７】
「基地局ＩＤ」は、基地局装置の識別を行うためのＩＤで、すべての基地局装置にユニークに割り付けられた番号である。ここでは、「１１１１１」のように数字記号により基地局装置を識別するが、これはアルファベット記号や数字との組合せであってもよい。
【００４８】
「機能確認情報」は、基地局装置の備える機能を示す項目であり、例えば「Ｔｙｐｅ＿Ａ」は、複数の変調方式（高信頼度の変調方式としてのＢＰＳＫ（Ｂｉｎａｒｙ  Ｐｈａｓｅ  Ｓｈｉｆｔ  Ｋｅｙｉｎｇ）と、多情報量の変調方式としての１６ＱＡＭ（Ｑｕａｄｒａｔｕｒｅ  Ａｍｐｌｉｔｕｄｅ  Ｍｏｄｕｌａｔｉｏｎ）と、その中間に位置する変調方式のπ／４シフトＱＰＳＫ（Ｑｕａｄｒａｔｕｒｅ  Ｐｈａｓｅ  Ｓｈｉｆｔ  Ｋｅｙｉｎｇ））を備え、伝送路環境の状況に応じて変調方式を制御するいわゆる適応変調機能を備えた基地局装置を意味し、「Ｔｙｐｅ＿Ｂ」は、単一の変調方式（π／４シフトＱＰＳＫ）のみを備えた従来型の基地局装置を意味する。
【００４９】
「スロット」は、現在接続中である場合に表示され、使用中のタイムスロットが表示される。この「スロット」にスロット番号が記載されていない基地局装置は、過去に接続を行ったが現在は未接続状態の基地局装置であることを示す。
【００５０】
さらに機能確認部１０３は、記憶部１０４に対する照合で、該当する「基地局ＩＤ」が格納されている場合には、その「基地局ＩＤ」と関連付けて記憶された「機能確認情報」を記憶部１０４より読み出し、一方、該当する「基地局ＩＤ」が格納されていない場合には、処理部１０２を介し基地局装置との間で互いの機能情報の交換を行う機能確認手順を実行させ、その結果を取得するとともに、記憶部１０４に格納する。なお、入手した「機能確認情報」は、処理部１０２と後述する変調方式決定部１０７に出力される。
【００５１】
変復調部１０５は、送信すべき情報を変調し、また受信した情報を復調する。ここでは、例えば適応変調機能を有する端末装置にあっては、複数の変調方式（ＢＰＳＫ、π／４シフトＱＰＳＫ、１６ＱＡＭ）を備え、基地局装置からの指示や通知に従って適応的に変更されるものとする。なお、変復調方式の決定は、変調方式については、基地局装置からの指示で決定され、また復調方式の決定は、端末装置から基地局装置への要求信号に対する基地局装置の応答信号により決定される。
【００５２】
品質測定部１０６は、受信した信号の品質を適宜測定する。受信した信号の品質は任意のもので構わないが、ここでは変復調部１０５で復調した信号あるいはＲＳＳＩ（受信信号強度表示信号：Ｒｅｃｅｉｖｅｄ  Ｓｉｇｎａｌ  Ｓｔｒｅｎｇｔｈ  Ｉｎｄｉｃａｔｏｒ）から受信した希望信号の強度、受信した干渉信号の強度、希望信号と干渉信号との強度の比などを測定する。あるいは、変復調部１０５で復調した信号の誤り率を測定してもよい。
【００５３】
変調方式決定部１０７は、品質測定部１０６で測定した信号の品質から、当該測定した品質に応じた変調方式を決定し、決定した変調方式を基地局装置に通知するための信号を生成する。
【００５４】
無線部１０８は、送信においては、変復調部１０５で処理されるベースバンドの信号をＤＡ変換し、無線周波数へ周波数変換した後、増幅して後述するアンテナより送信する。また、受信においては、アンテナより入力した信号をＬＮＡ（低雑音増幅装置：Ｌｏｗ  Ｎｏｉｓｅ  Ａｍｐｌｉｆｉｅｒ）にて増幅した後、ベースバンド周波数へ周波数変換し、ＡＤ変換して変復調部１０５へベースバンド信号として出力する。
【００５５】
端末用アンテナ１０９は、無線周波数の信号を送受信する。なお、端末用アンテナ１０９は、無指向性アンテナ、所定の指向性アンテナ、アダプティブアレーアンテナのいずれでもよく、またダイバーシチ機能を有していてもよい。
【００５６】
制御部１１０は、端末装置のタイミング処理や制御信号の処理などを実行する。
【００５７】
基地局用アンテナ２０１は、無線周波数の信号を送受信する。なお、基地局用アンテナ２０１は、無指向性アンテナ、所定の指向性アンテナ、アダプティブアレーアンテナのいずれでもよく、またダイバーシチ機能を有していてもよい。
【００５８】
無線部２０２は、後述する変復調部２０３で処理されるベースバンド信号と無線周波数の信号の変換、増幅、ＡＤまたはＤＡ変換等を行う。
【００５９】
変復調部２０３は、送信すべき情報を変調し、また受信した情報を復調する。変調方式は、ＢＰＳＫ、π／４シフトＱＰＳＫ、１６ＱＡＭのいずれかを適応的に選択する。ここでは、１つの端末装置との接続を図示しているが、複数の端末装置と接続している場合には、端末装置単位で変調と復調を実行する。
【００６０】
処理部２０４は、無線チャネルの接続処理を行うとともに、送受信されるデータの符号、復号化を実行する。また送信すべきデータの増減に応じて、無線チャネルの追加割当処理を実行する。
【００６１】
品質導出部２０５は、上り回線の信号の品質として、受信した信号の品質を適宜測定する。受信した信号の品質としては、端末装置の品質測定部１０６と同様に、変復調部２０３で復調した信号あるいはＲＳＳＩから、受信した希望信号の強度、受信した干渉信号の強度、希望信号と干渉信号の強度の比などを測定する。
【００６２】
一方、下り回線の信号の品質として、端末装置から受信した信号より、端末装置の変調方式決定部１０７で決定した変調方式に関する情報を検出する。または、端末装置の変調方式決定部１０７で決定した変調方式に関する情報の代わりに、基地局装置の品質導出部２０５で測定した信号の品質であってもよい。
【００６３】
変調方式制御部２０６は、品質導出部２０５で測定した上り回線の信号の品質および、端末装置の品質測定部１０６で検出した下り回線の信号の品質に適した変調方式を、上り回線および下り回線に対してそれぞれ決定し、端末装置への通知信号を生成する。
【００６４】
チャネル割当制御部２０７は、端末装置から無線チャネルの割当要求があった場合に、現在使用していない無線チャネルについてのキャリアセンスを行い、最も干渉の少ないチャネルを選択し、そのチャネル番号を使用するチャネルの番号として端末装置へ通知する。
【００６５】
機能確認部２０８は、処理部２０４より無線チャネル接続に関わる機能確認の指示があると、処理部２０４より端末装置の「端末ＩＤ」を入手し後述する記憶部２０９のデータと照合する。
【００６６】
図４に、基地局装置の記憶部２０９のデータ構造を示す。記憶部２０９は、端末装置の「機能確認情報」を格納する記憶手段である。「端末ＩＤ」は、端末装置を識別するためのＩＤで、すべての端末装置にユニークに割り付けられた番号である。ここでは、アルファベット記号によって端末装置を識別するが、これは数字やそれらの組合せでもよく、また、端末装置の電話番号でもよい。
【００６７】
「機能確認情報」は、端末装置の備える機能を示す項目であり、端末装置における記憶部１０４と同様に、「Ｔｙｐｅ＿Ａ］は、適応変調機能を備えた端末装置を意味し、「Ｔｙｐｅ＿Ｂ」は、適応変調機能を備えない端末装置を意味する。
【００６８】
「スロット」は、現在接続中である場合に表示され、使用中のタイムスロットが表示されている。このスロットにスロット番号のない端末装置は、過去に接続を行った端末装置、もしくは、後述する情報交換部２１１で受信した他の基地局装置に接続の端末装置であることを示す。
【００６９】
「情報入手先」は、基地局装置が「機能確認情報」をどこから入手したかを示す情報で、端末装置との機能確認で得た情報であれば端末装置のＩＤが、また後述するインタフェース部２１０を介した周辺基地局装置との「機能確認情報」の交換で得た情報であれば基地局装置のＩＤが記憶される。図中では、「情報入手先」に「ＡＡＡＡＡ」と記載のある「機能確認情報」については、端末装置「ＡＡＡＡＡ」との機能確認にて入手した情報であり、また、「１１１１１」と記載のある端末装置「ＣＣＣＣＣ」に関する「機能確認情報」については、基地局装置「１１１１１」から入手した情報である。
【００７０】
さらに機能確認部２０８は、記憶部２０９に、該当する「端末ＩＤ」が格納されている場合には、その「端末ＩＤ」と関連付けて記憶された「機能確認情報」を記憶部２０９より読み出し、一方、該当する「端末ＩＤ」が格納されていない場合には、処理部２０４を介し端末装置との間で互いの機能情報の交換を行う機能確認手順を実行させ、その結果を取得するとともに、記憶部２０９に格納する。なお、入手した「機能確認情報」は、処理部２０４と変調方式制御部２０６に出力される。
【００７１】
インタフェース部２１０は、基地局装置とネットワークとを接続する役割を担い、ネットワークを介した通信相手への呼接続や、料金情報や位置登録情報などの管理情報を、図示しない管理センター装置との間で送受信する。なお、ネットワークの一例はＩＳＤＮ（総合デジタル通信網：Ｉｎｔｅｇｒａｔｅｄ  Ｓｅｒｖｉｃｅｓ  Ｄｉｇｉｔａｌ  Ｎｅｔｗｏｒｋ）であるが、インタフェース部２１０は、ＩＳＤＮに対応した物理的形状や、電気的仕様を有するものとする。
【００７２】
情報交換部２１１は、インタフェース部２１０を介し、ネットワークにつながる他の基地局装置と、端末装置に関する「機能確認情報」の交換を行う。情報の交換においては、記憶部２０９にある「機能確認情報」を他の基地局装置に送信するとともに、他の基地局装置にある「機能確認情報」を受信し、前記機能確認部２０８を介して記憶部２０９に格納する。
【００７３】
なお、接続する基地局装置は、例えば、無線監視により検出される隣接の基地局装置であってもよいし、また予め一斉呼び出しエリアとしてグループ化された基地局装置であってもよい。すなわち、端末装置の移動範囲を順次包含するような近隣の基地局装置が含まれればよい。
【００７４】
また、情報交換部２１１は、ネットワーク４００を介して他の基地局装置に直接接続する方法以外に、ネットワーク上に図示しない「機能確認情報」を記憶し配信する「機能確認情報」管理データベース装置などを別途設け、基地局装置はその「機能確認情報」管理データベース装置との間で「機能確認情報」の交換を行ってもよい。
【００７５】
この構成は、ハードウェア的には、任意のコンピュータのＣＰＵ、メモリ、その他のＬＳＩで実現でき、ソフトウェア的には図示しないメモリ上に予め記憶され、実行時に読み出されるプログラムなどによって実現されるが、ここではそれらの連携によって実現される機能ブロックを描いている。したがって、これらの機能ブロックがハードウェアのみ、ソフトウェアのみ、またはそれらの組合せによっていろいろな形で実現できることは、当業者には理解されるところである。
【００７６】
図５は、端末装置の機能確認動作を示すフローチャートである。
【００７７】
端末装置と基地局装置との間で、新規に無線チャネルを割当てて通信状態とし、更に伝送容量拡大のため、無線チャネルの追加割当をする場合について、説明する。
【００７８】
端末装置１００の処理部１０２は、操作表示部１０１より通信開始の指示を受けると、基地局装置２００に対し、無線チャネルの接続手順を開始すると共に、機能確認部１０３に基地局装置２００の「基地局ＩＤ」を伝え、「機能確認情報」の取得を指示する。
【００７９】
「機能確認情報」の取得を指示された機能確認部１０３では、処理部１０２からの「基地局ＩＤ」と記憶部１０４に保持される「基地局ＩＤ」とを比較し、同一の「基地局ＩＤ」の有無を確認する（Ｓ５０１）。
【００８０】
そして、該当する「基地局ＩＤ」が記憶部１０４に無い場合には、新規の無線チャネル割当と判断し（Ｓ５０１−Ｎ）、処理部１０２を介して基地局装置２００と機能確認処理を行って、確認結果を処理部１０２へ出力すると共に、記憶部１０４に格納する（Ｓ５０２）。
【００８１】
さて、接続手順の実行により、端末装置１００と基地局装置２００との間で無線チャネルの割当がなされ、データ通信が開始されると、処理部１０２は、送受信データの符号・復号化と共に、そのデータ量を監視し、データ量が大きい場合には、伝送路を拡大するための無線チャンネル追加割当手順を実行する。
【００８２】
この際、通信相手となる基地局装置は、先に無線チャネルの接続を行い、現在データ通信を継続中の基地局装置２００である場合と、通信を行っていない他の基地局装置３００である場合がある。
【００８３】
まず、先に無線チャネルの接続を行い、現在データ通信を継続中の基地局装置２００である場合には、処理部１０２は、無線チャネルの追加割当の開始で、接続先となる基地局装置の「基地局ＩＤ」を機能確認部１０３へ伝え、「機能確認情報」の取得を指示する。
【００８４】
指示を受けた機能確認部１０３では、処理部１０２から伝えられた「基地局ＩＤ」と記憶部１０４の「基地局ＩＤ」との比較を行い、同一の「基地局ＩＤ」が見つかるので無線チャネルの追加割当と判断（Ｓ５０１−Ｙ）し、記憶部１０４にある「機能確認情報」を読み出して（Ｓ５０３）、処理部１０２へ出力する。
【００８５】
一方、通信を行っていない他の基地局装置３００である場合には、記憶部１０４の確認で、該当する「基地局ＩＤ」が見つからず、機能確認部１０３は、新規の無線チャネル接続であると判断（Ｓ５０１−Ｎ）し、処理部１０２を介した基地局装置３００と機能確認処理を行って、確認結果を処理部１０２へ出力すると共に、記憶部１０４に格納する（Ｓ５０２）。
【００８６】
なお、上記の説明では、既に無線チャネルを接続しているか否かの判断（Ｓ５０１）は、接続先となる基地局装置の「基地局ＩＤ」が記憶部１０４に格納されているか否かで判断している。この場合、過去に無線チャネルの接続を一度でも行ったことのある基地局装置であれば、格納情報消去されない限り、改めて装置間での機能確認処理を行わない設定となるが、これに限るものではない。例えば、記憶部１０４にある「スロット」の情報を併せて参照することで、現在接続を行っている基地局装置か、あるいは過去に接続を行ったことのある基地局装置かが判断でき、現在接続を行っていない基地局装置に対しては、改めて装置間での機能確認処理を起動して「機能確認情報」を更新することも可能である。これによれば、例えば、基地局装置が、基地局装置を動作させるソフトウェアの更新などにより、同じ「基地局ＩＤ」でありながら、機能の向上を果たした場合にも、柔軟に対応することができる。
【００８７】
また、上記の説明では、記憶部１０４へ格納される「機能確認情報」が、累積的に大きくなっていくが、接続の日時やあるいは一斉呼び出しエリアの情報を併せて記憶させ、古いものや近くにないものを削除してもよい。これによれば、「機能確認情報」の肥大を防ぎ、より効率的で迅速な検索が可能となる。
【００８８】
図６は、基地局装置の機能確認動作を示すフローチャートである。
【００８９】
基地局装置２００の処理部２０４は、端末装置１００より無線チャネル割当の要求を受けると、無線チャネルの接続手順を開始すると共に、機能確認部２０８へ端末装置１００の「端末ＩＤ」を伝え、「機能確認情報」の取得を指示する。
【００９０】
「機能確認情報」の取得を指示された機能確認部２０８では、処理部２０４からの「端末ＩＤ」と記憶部２０９に保持される「端末ＩＤ」とを比較し、同一の「端末ＩＤ」の有無を確認する（Ｓ６０１）。
【００９１】
そして、該当する「端末ＩＤ」が記憶部２０９に無い場合には、新規の無線チャネル割当と判断し（Ｓ６０１−Ｎ）、処理部２０４を介した端末装置１００と機能確認処理を行って、確認結果を処理部２０４へ出力すると共に、記憶部２０９に格納する（Ｓ６０２）。
【００９２】
一方、機能確認部２０８は、該当する「端末ＩＤ」が記憶部２０９にある場合（Ｓ６０１−Ｙ）には、記憶部の「情報入手先」の確認を行う。この「情報入手先」情報には、端末装置かあるいは基地局装置のＩＤが記載されており、当該端末装置の「機能確認情報」をどこから入手したのかが記載されている。具体的には、端末装置の「端末ＩＤ」が記載されている場合には、無線チャネル割当時における機能確認処理により入手した情報であり、また、基地局装置の「基地局ＩＤ」が記載されている場合には、情報交換部を介した他の基地局装置あるいはセンタ装置からの「機能確認情報」の受信により入手した情報であることが分かる。
【００９３】
さて、機能確認部２０８では、「情報入手先」の確認により情報の入手先が、端末装置である場合、すなわち他の基地局装置でない場合（Ｓ６０３−Ｎ）、記憶部２０９より「機能確認情報」を読み出して、処理部２０４へ出力する。また、「情報入手先」の確認により、情報の入手先が、他の基地局装置である場合（Ｓ６０３−Ｙ）、機能確認部２０８は、記憶部２０９より「機能確認情報」を読み出して処理部２０４へ出力すると共に、端末装置の機能情報と基地局装置の「機能確認情報」を比較して共通項を抜き出し、その情報を機能確認済の信号として、処理部２０４を介した端末装置１００へ送信する（Ｓ６０５）。
【００９４】
なお、基地局装置２００における「スロット」情報の取り扱いは、端末装置１００の場合と同様であり、「スロット」情報を参照して常に新しい「機能確認情報」に更新するように構成したり、あるいは、参照せずに過去の接続による「機能確認情報」を有効にしたりすることも可能である。
【００９５】
また、上記の説明では、記憶部２０９へ格納される「機能確認情報」が、累積的に大きくなっていくが、接続の日時やあるいは一斉呼び出しエリアの情報を併せて記憶させ、古いものや近くにないものを削除してもよい。これによれば、「機能確認情報」の肥大を防ぎ、より効率的で迅速な検索が可能となる。
【００９６】
図７は、基地局装置間での「機能確認情報」の交換手順を示すフローチャートである。基地局装置２００では、処理部２０４による無線チャネルの割当において、機能確認部２０８での機能確認が実行されると（Ｓ７０１−Ｙ）、交換した「機能確認情報」を記憶部２０９に格納する（Ｓ７０２）とともに、インタフェース部２１０を介して他の基地局装置３００に接続し、「機能確認情報」を配信する。
【００９７】
一方、「機能確認情報」の受信は、端末装置との機能確認処理が実行されていない場合（Ｓ７０１−Ｎ）であって、他の基地局装置からの「機能確認情報」の配信がある場合（Ｓ７０４−Ｙ）に、インタフェース部２１０を介して行い、受信完了後、入手先である基地局装置の「基地局ＩＤ」と共に、記憶部２０９へ格納する（Ｓ７０５）。
【００９８】
なお、上記説明では、端末装置との機能確認手順の実行と、他の基地局装置からの「機能確認情報」の受信が重ならないような判断を行っているが（Ｓ７０１）、これは記憶部２０９への格納に際し、書き込みタイミングの重複による不具合を回避するためのものであり、別に排他制御の手段を備えることで、上記判断を省くことも可能である。
【００９９】
図８は、新規に無線チャネルの割当を行って無線回線を接続する際の、端末装置と基地局装置との間の接続シーケンス図である。
【０１００】
端末装置１００の使用者により、通信の開始が指示されると、端末装置１００は、処理部１０２にて、基地局装置２００へ無線チャネルの割当を要望する「ＬＣＨ（Ｌｉｎｋ  Ｃｈａｎｎｅｌ）確立要求」メッセージを生成し、無線部１０８を介して送信する（Ｓ８０１）。
【０１０１】
基地局装置２００では、処理部２０４がメッセージを解析して「端末ＩＤ」を抽出し、機能確認部２０８にて新規のチャネル割当か否かを確認させる（Ｓ８０２）。また併せて、チャネル割当制御部２０７に無線チャネルの空き状況を確認させ、空きがあれば「ＬＣＨ割当」メッセージを生成し、また空きがない場合には、「ＬＣＨ割当拒否」メッセージを生成して返信する（Ｓ８０３）。この際、チャネル割当制御部２０７は、無線空きチャネルの確認として、チャネル使用の有無のみならず、キャリアセンスを行って空きチャネルに対する使用可否の確認も行う。
【０１０２】
一方、端末装置１００では、処理部１０２にて基地局装置２００から返信されたメッセージを解析し、「ＬＣＨ割当拒否」メッセージの場合には、他の基地局装置へ再度「ＬＣＨ確立要求」メッセージを送信し、無線チャネルの割当を受ける。
【０１０３】
さて、無線チャネルの割当を受けた端末装置１００の処理部１０２では、受信した「ＬＣＨ割当」メッセージより「基地局ＩＤ」を抽出し、機能確認部１０３にて新規のチャネル割当であるか否かの判断を行う（Ｓ８０４）。
【０１０４】
新規接続であることが確認された端末装置１００の処理部１０２と基地局装置２００の処理部２０４では、互いの無線部（１０８、２０２）と制御部（１１０、２１２）とを指示し、割当がなされたチャネルにて同期バーストの送受信（Ｓ８０５，Ｓ８０６）を行って同期の確立を図る。そして、同期確立後は、互いの機能確認部（１０３、２０８）にて、それぞれの備える機能、例えば適応変調への対応状況などを示す情報を互いに送受信し（Ｓ８０７）、通信状態に至る（Ｓ８０８）。
【０１０５】
なお、機能確認後の、最初の通信状態で使用する変調方式は、伝送路環境が不明なことより、端末装置および基地局装置の適応変調方式への対応如何に関わらず全ての装置が共通で備えるπ／４シフトＱＰＳＫである。
【０１０６】
通信状態に至った端末装置１００と基地局装置２００では、データの通信が開始されるとともに、端末装置１００の品質測定部１０６と基地局装置２００の品質導出部２０５にて、各々受信信号の品質を継続的に監視し、予め定めた規定値以上の品質がある場合には、より多情報量の伝送が可能な変調方式（１６ＱＡＭ）への変調方式切替手順を、逆に規定値以下の品質である場合には、より高信頼度の伝送が可能な変調方式（ＢＰＳＫ）への変調方式切替手順を実行する。
【０１０７】
この変調方式切替手順は、下り方向においては、端末装置１００から基地局装置２００に対して「端末受信品質通知信号」メッセージが送信され（Ｓ８０９）、それを受信した基地局装置２００は、変調方式制御部２０６にて対応の可否を確認し、対応可能であれば、変調方式の切替を伝える「変調方式通知信号」メッセージ（Ｓ８１０）を、一方、上り方向においては、基地局装置２００から端末装置１００へ変調方式の切替を指示する「変調方式通知信号」メッセージをそれぞれ送信させる。
【０１０８】
なお、下り方向および上り方向の変調方式を通知、あるいは指示する「変調方式通知」メッセージは、各々単独で送信されてもよいし、１つのメッセージ中に両意図を含めて送信されてもよい。
【０１０９】
さて、端末装置１００にて「変調方式通知信号」メッセージが受信されると、端末装置１００においては変調方式決定部１０７による変復調部１０５の制御にて、また基地局装置２００においては変調方式制御部２０６による変復調部２０３の制御にて、それぞれ変調方式の切替を行い（Ｓ８１１）、新たな変調方式による通信に至る（Ｓ８１２）。
【０１１０】
図９は、無線チャネルの追加割当を行う際の、端末装置と基地局装置との間の接続シーケンス図である。
【０１１１】
端末装置１００と基地局装置２００は、図８のステップ（Ｓ８０１からＳ８０４）と同様に、端末装置１００からの「ＬＣＨ確立要求」メッセージの送信（Ｓ９０１）と、基地局装置２００からの「ＬＣＨ割当」メッセージの返信（Ｓ９０３）により、無線チャネルの割当を受け、それらのメッセージより互いの識別ＩＤを抽出し、機能確認部１０３で新規のチャネル割当か否かの確認を行う（Ｓ９０２，Ｓ９０４）。
【０１１２】
既に無線回線が接続中であることが確認された端末装置１００と基地局装置２００では、割当てたチャネルで互いに同期バーストを送受信し同期の確立を図る（Ｓ９０５，Ｓ９０６）。
【０１１３】
そして、同期確立後は、新規接続時に行った機能確認は行わず、その際、端末装置１００の処理部１０２と基地局装置２００の処理部２０４は、互いの記憶部（１０４、２０９）に格納した「機能確認情報」を読み出し、適応変調機能の有無を確認する。
【０１１４】
そこで、「機能確認情報」により適応変調機能が互いに備わっていると確認された場合には、データ通信の開始に先立ち、端末装置１００の品質測定部１０６と基地局装置２００の品質導出部２０５にて、各々受信信号の品質を監視し、予め定めた規定値以上の品質がある場合には、より多情報量の伝送が可能な変調方式（１６ＱＡＭ）への変調方式切替手順を、逆に規定値以下の品質である場合には、より高信頼度の伝送が可能な変調方式（ＢＰＳＫ）への変調方式切替手順を実行する。
【０１１５】
この変調方式切替手順は、下り方向の変調方式においては、端末装置１００から基地局装置２００に対し「端末受信品質通知信号」メッセージが送信（Ｓ９０７）され、それを受信した基地局装置２００は、変調方式制御部２０６にて対応の可否を確認し、対応可能であれば、変調方式の切替を伝える「変調方式通知信号」メッセージを、一方、上り方向の変調方式においては、基地局装置２００から端末装置１００へ変調方式の切替を指示する「変調方式通知信号」メッセージをそれぞれ送信させる（Ｓ９０８）。
【０１１６】
なお、下り方向および上り方向の変調方式を通知、あるいは指示する「変調方式通知」メッセージは、各々単独で送信されてもよいし、１つのメッセージ中に両意図を含めて送信されてもよい。
【０１１７】
さて、端末装置１００にて「変調方式通知信号」メッセージが受信されると、端末装置１００においては変調方式決定部１０７による変復調部１０５の制御にて、また基地局装置２００においては変調方式制御部２０６による変復調部２０３の制御にて、それぞれ変調方式の切替を行い（Ｓ９０９）、新たな変調方式による通信に至る（Ｓ９１０）。
【０１１８】
図１０は、基地局装置間での「機能確認情報」の交換機能を備える基地局装置による、端末装置と基地局装置との間の接続シーケンス図である。
【０１１９】
端末装置１００と基地局装置２００は、図８のステップ（Ｓ８０１からＳ８０４）と同様に、端末装置１００からの「ＬＣＨ確立要求」メッセージの送信（Ｓ１００１）と、基地局装置２００からの「ＬＣＨ割当」メッセージの返信（Ｓ１００３）により、無線チャネルの割当を受け、それらのメッセージより互いの識別ＩＤを抽出し、機能確認部１０３で新規のチャネル割当か否かの確認を行う（Ｓ１００２，Ｓ１００４）。
【０１２０】
この際、基地局装置２００においては、図７にて説明した、基地局装置間での「機能確認情報」の交換手順により、他の基地局装置３００より端末装置の「機能確認情報」を受信しているものとして説明する。
【０１２１】
さて、基地局装置２００の処理部２０４では、機能確認部２０８による「端末ＩＤ」の確認で、該当する「端末ＩＤ」とその「機能確認情報」、およびその情報の入手先が他の基地局装置であることを読み出し、「ＬＣＨ割当」メッセージに、既に端末装置の機能情報を入手していること（機能確認済）と、端末装置の機能情報に対する基地局装置の機能対応可否を示す情報を付加し、端末装置１００へ送信する。
【０１２２】
「ＬＣＨ割当」メッセージを受信した端末装置１００の処理部１０２では、「基地局ＩＤ」を抽出して機能確認部１０３での確認を行うとともに、メッセージに付加された端末装置機能に対する機能対応可否情報を検出し、その内容を確認して記憶部１０４に格納すると共に、同期バーストによる同期確立を行う（Ｓ１００５，Ｓ１００６）。
【０１２３】
そして、同期確立後は、機能確認は行わず、基地局装置２００にあっては他の基地局装置３００から受信した「機能確認情報」を、端末装置にあっては、「ＬＣＨ割当」メッセージより抽出した基地局装置の機能対応可否情報を読み出し、適応変調機能の有無を確認する。
【０１２４】
そこで、互いに適応変調機能が備わっていると判断された場合には、データ通信の開始に先立ち、端末装置１００の品質測定部１０６と基地局装置２００の品質導出部２０５にて各々受信信号の品質を監視し、予め定めた規定値以上の品質がある場合には、より多情報量の伝送が可能な変調方式（１６ＱＡＭ）への変調方式切替手順を、逆に規定値以下の品質である場合には、より高信頼度の伝送が可能な変調方式（ＢＰＳＫ）への変調方式切替手順を実行する。
【０１２５】
この変調方式切替手順は、下り方向においては、端末装置１００から基地局装置２００に対し「端末受信品質通知信号」メッセージが送信され（Ｓ１００７）、それを受信した基地局装置２００は、変調方式制御部２０６にて対応の可否を確認し、対応可能であれば、変調方式の切替を伝える「変調方式通知信号」メッセージを、一方、上り方向においては、基地局装置２００から端末装置１００へ変調方式の切替を指示する「変調方式通知信号」メッセージをそれぞれ送信させる（Ｓ１００８）。
【０１２６】
尚、下り方向および上り方向の変調方式を通知、あるいは指示する「変調方式通知」メッセージは、各々単独で送信されてもよいし、１つのメッセージ中に両意図を含めて送信されてもよい。
【０１２７】
さて、端末装置にて「変調方式通知信号」メッセージが受信されると、端末装置１００においては変調方式決定部１０７による変復調部１０５の制御にて、また基地局装置２００においては変調方式制御部２０６による変復調部１０５の制御にて、それぞれ変調方式の切替を行い（Ｓ１００９）、新たな変調方式による通信に至る（Ｓ１０１０）。
【０１２８】
以上の構成による通信システム１０の動作を説明する。
【０１２９】
端末装置１００は、操作表示部１０１を介して使用者からデータ通信の開始指示を受けると、処理部１０２にて基地局装置２００へ無線チャネルの割当を要求する「ＬＣＨ確立要求」メッセージを生成して送信し、その応答である「ＬＣＨ割当」メッセージを基地局装置２００より受信する。これらのメッセージには、互いの識別を示すＩＤ（「端末ＩＤ」、「基地局ＩＤ」）が含まれており、端末装置１００の機能確認部１０３と基地局装置２００の機能確認部２０８では、それぞれの記憶部（１０４、２０９）に格納した情報を検索して、該当するＩＤ（「端末ＩＤ」、「基地局ＩＤ」）が記憶されているか否かを確認する。
【０１３０】
この確認において、該当する「端末ＩＤ」あるいは「基地局ＩＤ」が見つからなかった場合には、端末装置１００の処理部１０２と基地局装置２００の処理部２０４は、この接続は新規のチャネル割当と判断し、機能確認部１０３で互いの機能確認を行った後、通信状態へ至る。一方、該当する「端末ＩＤ」あるいは「基地局ＩＤ」が見つかった場合には、無線チャネルの追加割当と判断し、新規のチャネル割当時に行った機能確認の結果を記憶部１０４より読み出して接続処理を継続する。
【０１３１】
また、基地局装置２００と基地局装置３００は、それぞれの情報交換部を通じてネットワーク４００を経由で接続し、互いの記憶部２０９にある「機能確認情報」の交換を行う。これによれば、基地局装置２００は、端末装置１００と新規に接続する場合であっても、以前に端末装置１００が基地局装置３００と接続したことがあれば、その際の「機能確認情報」を基地局装置３００より入手し、その情報を用いることで新規のチャネル接続時であっても互いの機能確認を行わない。
【０１３２】
本実施の形態によれば、端末装置１００は、無線チャネルの新規割当時に行う機能確認において、その確認結果を記憶部１０４に格納し、以降の同じ基地局装置への接続の際には、その確認情報を利用するため、接続時の処理時間を短縮することができ、適応変調に対応した端末装置や基地局装置にあっては、無線チャネルの追加割当直後の通信から適応変調手順を実行することができる。
【０１３３】
また、基地局装置２００は、近隣の他の基地局装置３００との情報交換部２１１を備えることで、個々で記憶している端末装置１００の「機能確認情報」を共有することができ、仮に新規の接続にあっても記憶部２０９にある「機能確認情報」を用い、接続時間の短縮を図ることができる。
【０１３４】
これは、例えば、端末装置が通信を継続したまま基地局装置間を移動する場合を想定すると、端末装置と基地局装置の間では、端末装置の移動に応じて順次基地局装置が切り替わっていく（ハンドオーバされていく）ことになるが、基地局装置側で端末装置の「機能確認情報」を交換して共有するため、接続の都度（ハンドオーバの都度）機能確認を行う必要がなく、切れ目の時間の少ない良好な通信を提供することができる。
【０１３５】
以上、本発明の実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【０１３６】
【発明の効果】
本発明によれば、端末装置と基地局装置の間で、無線チャネルを割当てる際の接続時間を短縮し、通信効率の低下を抑制する端末装置、基地局装置、無線接続方法、およびそのプログラムを提供することにある。
【図面の簡単な説明】
【図１】本実施の形態に係る通信システムを示す構成図である。
【図２】図１のフレームフォーマットを示す図である。
【図３】図１の端末装置の記憶部１０４のデータ構造を示す図である。
【図４】図１の基地局装置の記憶部２０９のデータ構造を示す図である。
【図５】図１の端末装置の機能確認動作を示すフローチャートである。
【図６】図１の基地局装置の機能確認動作を示すフローチャートである。
【図７】図１の基地局装置間での「機能確認情報」の交換手順を示すフローチャートである。
【図８】図１の無線チャネル新規接続処理の接続シーケンス図である。
【図９】図１の無線チャネル追加接続処理の接続シーケンス図である。
【図１０】図１の機能情報交換機能を備えた基地局装置の無線チャネル新規接続処理の接続シーケンス図である。
【符号の説明】
１００  端末装置、２００  基地局装置、１０１  操作表示部、１０２  処理部、１０３  機能確認部、１０４  記憶部、１０５  変復調部、１０６  品質測定部、１０７  変調方式決定部、１０８  無線部、１０９  端末用アンテナ、１１０  制御部、２０１  基地局用アンテナ、２０２  無線部、２０３  変復調部、２０４  処理部、２０５  品質導出部、２０６  変調方式制御部、２０７  チャネル割当制御部、２０８  機能確認部、２０９  記憶部、２１０  インタフェース部、２１１  情報交換部、２１２  制御部。
【図１】
2005020153.tif 000003
【図２】
2005020153.tif 000004
【図３】
2005020153.tif 000005
【図４】
2005020153.tif 000006
【図５】
2005020153.tif 000007
【図６】
2005020153.tif 000008
【図７】
2005020153.tif 000009
【図８】
2005020153.tif 000010
【図９】
2005020153.tif 000011
【図１０】
2005020153.tif 000012